(57)【要約】【課題】本発明は、電子機器の設置状態に関わらず、方向キーの機能および、その表示を維持することができる電子機器を提供することを目的とする。【解決手段】本発明に係る電子機器１（例えば、監視用レコーダーあるいはパソコン等）は、外囲筐体と、外囲筐体の前面に設けられ、所定の回転中心を中心に回転可能であり、回転中心の周りに配設された方向キー３ａ〜３ｄを有する方向キーユニット２とを備えている。【選択図】図１
2009290833.tif 000002
【特許請求の範囲】
【請求項１】
外囲筐体と、
前記外囲筐体の前面に設けられ、所定の回転中心を中心に回転可能であり、前記回転中心の周りに配設された方向キーを有する方向キーユニットと、
を備える、電子機器。
【請求項２】
前記方向キーユニットは、前記回転中心から偏在して配設され重力による前記回転中心周りのモーメントを前記方向キーユニットに与える重量体を備える、
請求項１に記載の電子機器。
【発明の詳細な説明】
【技術分野】
【０００１】
本発明は、方向キーユニットを有する電子機器に関し、特に監視用レコーダーまたはパソコン等の方向キーユニット構造に関するものである。
【背景技術】
【０００２】
従来、監視用レコーダーまたはパソコン等の電子機器は、設置場所の環境によって、設置状態が異なっていた。
【０００３】
そのため、従来の電子機器では、据置きの電子機器を縦置きにした場合、方向キーが電子機器の外囲筐体に対し固定されているため、実際に設置した状態からの操作とモニター上に表示されるメニュー配列の操作とがずれてしまい、直感的且つ円滑な操作が困難になるという問題があった。
【０００４】
なお、ワイヤレスコントローラにおいて、各方向キーに２つの信号線が接続されており、且つ、この信号の切り替えスイッチを有することにより、各方向キーがそれぞれ２方向の操作設定が可能とする先行技術が特許文献１に開示されている。
【０００５】
【特許文献１】実開平０５−０６００７０号公報
【発明の開示】
【発明が解決しようとする課題】
【０００６】
しかしながら、特許文献１では、信号切り替え用のスイッチが必要であった。また、方向キーの機能自体は切り替えることが可能であるが、印刷等による本体のスイッチの機能表示がある場合、この表示を機能に追従させる為には、別途機能表示部の変換機構等が要求された。また、信号切り替えのスイッチの配置および意匠的な処理が制約になる可能性があった。
【０００７】
本発明は、これらの問題を解決するためになされたものであり、電子機器の設置状態に関わらず、方向キーの機能および、その表示を維持することができる電子機器を提供することを目的とする。
【課題を解決するための手段】
【０００８】
この発明の主題に係る電子機器は、外囲筐体と、外囲筐体の前面に設けられ、所定の回転中心を中心に回転可能であり、回転中心の周りに配設された方向キーを有する方向キーユニットとを備える。
【発明の効果】
【０００９】
本発明によれば、電子機器は、外囲筐体と、外囲筐体の前面に設けられ、所定の回転中心を中心に回転可能であり、回転中心の周りに配設された方向キーを有する方向キーユニットとを備えるようにしたので、電子機器の設置状態に関わらず、方向キーの機能および、その表示を維持することができる。これにより、メニュー操作を直感的且つ円滑に行うことができる。
【発明を実施するための最良の形態】
【００１０】
（実施の形態１）
以下、図面を用いて本発明の実施の形態について説明する。図６は、本実施の形態に係る電子機器の一例を示しており、監視用レコーダー等の電子機器１には複数の監視用カメラ１３および監視用モニター１４等が接続されている。この監視用モニター１４には、監視用カメラ１３から送られてきた映像が映し出される他、電子機器１に備えられた各種選択機能メニュー１５が表示される。
【００１１】
これらの各種選択機能メニュー１５は、監視用モニター１４上に上下左右に複数表示され、その複数表示された各種選択機能メニュー１５の中から方向キー３ａ〜３ｄを操作し、カーソル１６を監視用モニター１４上で上下左右に移動させ、該当する各種選択機能メニュー１５の１つにカーソル１６が合ったところで、確定ボタン１２を操作し確定することにより意図する設定を行うのが一般的である。
【００１２】
ここで、図７のように、監視用レコーダーまたはパソコン等の電子機器１の設置環境は様々であり、設置場所に余裕のある場合は、据置き（図７（ｂ））にし、狭所の場合は縦置き（図７（ａ））にして使用される場合がある。
【００１３】
このように、従来の電子機器１が縦置き（図７（ａ））にされた場合、方向キー３ａ〜３ｄが電子機器１の外囲筐体に対し固定されていると、方向キー３ａ〜３ｄの上下左右方向の位相が、一般環境と９０度ずれてしまい、従って、モニターに映し出されるメニューの配列とも位相が９０度ずれてしまう為、モニター上のカーソル移動の直感的、且つ円滑な操作が困難となっていた。
【００１４】
そこで、本実施の形態に係る電子機器１を図１に示している。電子機器１は方向キーユニット２を備えている。図１（ｂ）は電子機器１の据置き時の方向キーユニット２の状態を示しており、図１（ａ）は電子機器１の縦置き時の方向キーユニット２の状態を示している。そして、本実施の形態に係る方向キーユニット２は、図２，図３に示すように、方向キー３ａ〜３ｄ、スイッチ操作部４ａ〜４ｄおよび機能スイッチ５ａ１〜５ｄ２を備えている。方向キーユニット２は、電子機器１の外囲筐体の前面に設けられ、方向キーユニット２の回転中心（円形の中心）を中心に回転可能であり、その回転中心の周りに方向キー３ａ〜３ｄが配設されている。
【００１５】
方向キーユニット２は、電子機器１の外囲筐体に対し回転可能な構造となっており、図１のように、据置き（ｂ）から方向キーユニット２が上部になるように左方向に９０度回転させて縦置き（ａ）にした場合、方向キーユニット２を電子機器１の回転方向とは反対の右方向に９０度回転させることにより、方向キーユニット２の機能および機能表示の上下左右の位置関係を確保することができる。
【００１６】
図２は、方向キーユニット２の方向キー３ａ〜３ｄと、その方向キー３ａ〜３ｄに対応するスイッチ操作部４ａ〜４ｄとの位置関係を示した図である。方向キー３ａ〜３ｄは、方向キーユニット２の中心部を中心とした円周上に９０度位相をずらした状態でそれぞれ配設されている。そして、方向キー３ａ〜３ｄは、前後に動作可能であり、方向キー３ａ〜３ｄの裏面に設けられたスイッチ操作部４ａ〜４ｄが、方向キーユニット２の背後に配置されているプリント基板１７上の機能スイッチ５ａ１〜５ｄ２を操作して機能が実行される。
【００１７】
このスイッチ操作部４ａ〜４ｄは、方向キー３ａ〜３ｄにそれぞれ１箇所のみ存在し、方向キーユニット２の中心を中心とする大円周Ａ上と小円周Ｂ上に９０度位相が進む毎に、内側と外側が互い違いになるように配設されている。
【００１８】
図３は、電子機器１の据置き時のプリント基板１７上における機能スイッチ５ａ１〜５ｄ２の配置を示した図である。機能スイッチ５ａ１〜５ｄ２は、プリント基板１７上に上述した大円周Ａと小円周Ｂを投影した円周Ａ’，Ｂ’上に配置され、機能としては、機能スイッチ５ａ１および機能スイッチ５ａ２には方向キー３ａ（上）、機能スイッチ５ｂ１および機能スイッチ５ｂ２には方向キー３ｂ（右）、機能スイッチ５ｃ１および機能スイッチ５ｃ２には方向キー３ｃ（下）、機能スイッチ５ｄ１および機能スイッチ５ｄ２には方向キー３ｄ（左）がそれぞれ与えられている。すなわち、上下左右の各機能スイッチ５ａ１〜５ｄ２は同一円周上で９０度位相をずらした場所に各２個ずつ配置されている。
【００１９】
図４は、プリント基板１７上に実装された機能スイッチ５ａ１〜５ｄ２のセット据置き時（ｂ）および縦置き時（ａ）の状態を示した図である。プリント基板１７は、電子機器１の外囲筐体に固定されており、このプリント基板１７上に方向キーユニット２が設置されている。プリント基板１７と機能スイッチ５ａ１〜５ｄ２は、電子機器１の外囲筐体の回転とともに方向変換される。
【００２０】
一方、図１の説明で述べたとおり、方向キー操作部４ａ〜４ｄは、方向キーユニット２を回転させることにより、電子機器１の設置方法が変わっても、一定方向を保つことが可能である。
【００２１】
ここで、図２および図４を対応させて、方向キー操作部４ａ〜４ｄと機能スイッチ５ａ１〜５ｄ２の関係を見ると、電子機器１の据置き時（図４（ｂ））は、方向キー操作部４ａは機能スイッチ５ａ１を操作する。これに対して、電子機器１の縦置き時（図４（ａ））は、方向キー操作部４ａは機能スイッチ５ａ２を操作することとなり同一機能が保たれる。また、残りの方向キー操作部４ｂ〜４ｄについても同様であり、電子機器１の据置き時（図４（ｂ））は、方向キー操作部４ｂは機能スイッチ５ｂ１、方向キー操作部４ｃは機能スイッチ５ｃ１、方向キー操作部４ｄは機能スイッチ５ｄ１を操作し、電子機器１の縦置き時（図４（ａ））は、方向キー操作部４ｂは機能スイッチ５ｂ２、方向キー操作部４ｃは機能スイッチ５ｃ２、方向キー操作部４ｄは機能スイッチ５ｄ２を操作する。このように、いずれの設置状態でも機能は維持される。
【００２２】
また、本実施の形態に係る電子機器１は、方向キーユニット２と電子機器１の外囲筐体のように細分化された構造になっているので、容易に破砕化ができる。さらに、本実施の形態に係る電子機器１は、方向キーユニット２が電子機器１の外囲筐体に組み込まれるような構造になっているので、製品の分解の際に作業が容易にできる。
【００２３】
（実施の形態２）
図５は、本実施の形態に係る方向キーユニット２の部分の一例を示したものである。電子機器１が据置き時（図５（ｂ））および縦置き時（図５（ａ））状態を示した図である。方向キーユニット２は、回転中心から偏在して配設され重力による回転中心周りのモーメントを方向キーユニット２に与える重量体２０を備えている。なお、電子機器１の構成は、重量体２０を備えている以外、実施の形態１の図１と同様である。
【００２４】
重量体２０は、方向キーユニット２の底部に配設されており、電子機器１の据置き時（図５（ｂ））および縦置き時（図５（ａ））に関わらず、常に重量体２０のある面が下側を向くことになる。
【００２５】
このように、方向キーユニット２の底部に重量体２０を備えることによって、手動による方向キーユニット２の回転操作を行うことなく、方向キーユニット２の上下左右を維持することができる。
【産業上の利用可能性】
【００２６】
本発明の活用例として、据置き、あるいは縦置きの設置が想定される監視用レコーダーあるいはパソコン等の電子機器に適用できる。
【図面の簡単な説明】
【００２７】
【図１】本発明の実施の形態１に係る電子機器の方向キーユニットの回転構造の一例を示す図である。
【図２】本発明の実施の形態１に係る方向キーユニットの方向キーとスイッチ操作部の位置関係を示す図である。
【図３】本発明の実施の形態１に係る機能スイッチの配置を示す図である。
【図４】本発明の実施の形態１に係る機能スイッチの配置を示す図である。
【図５】本発明の実施の形態２に係る電子機器の方向キーユニットの回転構造の一例を示す図である。
【図６】本実施の形態に係る電子機器を使用した一例を示す図である。
【図７】従来の電子機器の方向キーを示す図である。
【符号の説明】
【００２８】
１  電子機器、２  方向キーユニット、３ａ〜３ｄ  方向キー、２０  重量体。
【図１】
2009290833.tif 000003
【図２】
2009290833.tif 000004
【図３】
2009290833.tif 000005
【図４】
2009290833.tif 000006
【図５】
2009290833.tif 000007
【図６】
2009290833.tif 000008
【図７】
2009290833.tif 000009